(57)【要約】【課題】引切り手段を用いて遊離爪部を切除する際に安全で簡単に用いられる爪切除具の提供。【解決手段】略板状矩形体で成る、略先端側から手前方向に向かって、上下一対で成る爪側と指側を分離させる挿入脚部１と刃先方向を示す案内脚部２とが離隔して二股状に凸設され、また、該二股を形成する該挿入脚部１と該案内脚部２とが対向して成したスリットには、遊離爪部を差し込む爪入隙３を形成し、また、挿入脚部の手前側方向略端部には柄部４が具備され、また、該二股の股部には、一体で、或いは別部材で成形された、該爪入隙３に差し込まれた遊離爪部を引切りで切除できる方向に一体または別部材で成形された、両刃または蛤刃または片刃である刃体部５を備えて成している。【選択図】図１
2018187316.tif 000002
【特許請求の範囲】
【請求項１】
遊離爪部を遊離縁に沿って引切りにより爪切除が行える爪切り具であって、
金属またはセラミックスまたは樹脂またはエラストマーから選択された材料によって成形された略板状矩形体で成る略先端側から手前方向に向かって、上下一対で成る爪側と指側を分離させる挿入脚部と刃先方向を示す案内脚部とが離隔して二股状に凸設され、
また、該二股を形成する該挿入脚部と該案内脚部とが対向して成したスリットには、該遊離爪部を差し込む爪入隙を形成し、
また、挿入脚部の手前側端部方向には柄部が具備され、
また、該二股の股部には、該爪入隙に差し込まれた該遊離爪部を引切りで切除できる方向に一体で、或いは別部材で成形された、左右両側面に切り刃を有する両刃または左右両側面に小刃が無い蛤刃または左右いずれか一方の側面が平滑で反対側の側面に切り刃を有する片刃である刃体を備えて成している、ことを特徴とする爪切除具。
【発明の詳細な説明】
【技術分野】
【０００１】本発明は、引切り手段を用いて小さく柔らかな爪や大きく硬い爪の爪先端縁および側爪縁端部を安全かつ容易に切除するための爪切除用具に関するものである。
【背景技術】
【０００２】従来の爪切除具の発明においては、【０００３】例えば、側面形状が略板状矩形体に形成されている柄部の先端部には、上下一対で成る挿入脚部と、案内脚部とが、離隔して二股状に凸設され、また、該二股を形成する該挿入脚部と該案内脚部とが対向して成したスリットには、爪の先端縁を差し込む爪入隙を形成し、また、該二股の股部には、該爪入隙に差し込まれた爪を切除できる方向に一体で、或いは別部材で刃付け加工された刃体が配設されたことで、爪入隙へ差し込まれた爪を切除できる爪切除具が、本出願人が先に提案されている。（特許文献１）【０００４】また、爪用具とは用途違いであるが、グリップ部と、そのグリップ部の先端において連結される略チャンネル状のヘッド部と、そのヘッド部の内周縁部に配設されるとともに、Ｖ字状に形成された刃部を有する刃体部とを備えたことにより、使用回数に影響されることなく一定の切断能力を維持し、使用耐久性に優れ、また、梱包用バンド等を確実に切断することができ、さらに、切断に際して荷物を傷つけることなく梱包用バンド等を切断することができるカッターも提案されている。（特許文献２）
【先行技術文献】
【特許文献】
【０００５】
【特許文献１】特開２０１６−０１６３１１号公報
【特許文献２】特開平８−２４４４８号公報
【発明の概要】
【発明が解決しようとする課題】
【０００６】従来からあるクリップ型つめ切りやニッパー型つめ切りなどに共通する特徴は、上下の刃で遊離爪部を挟み込んで切除する機能を用いていることであるが、例えば足指の中で小指の爪のように遠く小さな遊離爪部を切除する際、体の柔軟性や視力や握力が衰えた老人や、本態性振戦で手や足または手足の振るえが現れている施術者にとっては被切除部位だけを確実に挟み込み切除することは非常に困難で、危険であるという課題がある。【０００７】また、前述に記載された爪切除具には以下のような問題がある。
前記文献１に掲げた爪切除具は押切り型であるがため、爪を切除する際、切り刃に安定した切削力を伝達できるよう押し手はできるだけ刃体の近くに置く必要がある。ところが細かな部位への爪切除では被爪と指肉とが接近しているため、刃体近くに押し手を設けると該刃体や該爪被切削部位が押し手に被り、切除具自体が見えなくなり刃先の方向を見失うなど危険がある。また、力がない子供や老人が自ら施術する際、切削抵抗が切り刃の直進性を害し左右に切削方向がふらつくなど操作が不安定になり危険であるので、押切り型の爪切除具を用いる際、厚爪や硬爪や、また押す力が弱い施術者においては不向きである。【０００８】また、前記文献２に掲げたカッターにおいては、爪用具とは用途違いであるが、荷物にかけられたバンドを切断したり、密封された包装用袋を開封したりするのに好適な引切り型を導入したカッターである。該カッターを爪の切除に用いた場合、前述の押切り爪切除具同様、被切断爪の爪甲上にヘッド部からグリップ部へと連なる一連の本体が被切除部と被るために、施術者は切除部位を直接目視で確認しながら爪切除がおこなえず、危険であり繊細な遊離爪部の切除には不向きである。また、被切断部を引っ掛けて斜め上方へ引き上げるように操作されるよう本体と刃体が形造られているが、下方から生爪を剥す上方へ向かって刃体を引き上げるのは大変に危険である。しかも用途違いであるため、前述を含め各部位の機能において爪切除に配慮された設計が全く施されていないという問題もある。【０００９】本発明の目的は、これらの課題を解決し、且つ、容易に遊離爪部を切除できる、爪切除具を提供することにある。
【課題を解決するための手段】
【００１０】以上の課題を解決するための請求項１記載の爪切除具は、遊離爪部を遊離縁に沿って引切りにより爪切除が行える爪切り具であって、金属またはセラミックスまたは樹脂またはエラストマーから選択された材料によって成形された略板状矩形体で成る略先端側から手前方向に向かって、上下一対で成る爪側と指側を分離させる挿入脚部と刃先方向を示す案内脚部とが離隔して二股状に凸設され、また、該二股を形成する該挿入脚部と該案内脚部とが対向して成したスリットには、遊離爪部を差し込む爪入隙を形成し、また、挿入脚部の手前側端部方向には引き手用ハンドルが具備され、また、該二股の股部には、該爪入隙に差し込まれた遊離爪部を引切りで切除できる方向に一体で、或いは別部材で成形された、左右両面に切り刃を有する両刃または小刃が無く且つ舌状湾曲側面を両側に有し被切除爪との接触抵抗を小さくされた蛤刃または左右いずれか一方の側面が平滑で反対側の側面に切り刃を有する片刃である刃体部を備えて成しているものである。【００１１】ここで、二股状を成す上側の案内脚部の長さは、刃体部を保持する強度が不足せず、且つ刃体部の刃先が露出しない程度であれば、短いほど被爪部位が目視による視認性が向上するためよい。刃体部を除く柄部および二股状を形成する夫々脚部の材料は、弾性材や可塑性材を問わず、また金属であればステンレス、チタン合金、アルミ合金、貴金属合金、鋼系から、また、セラミックス系や樹脂類およびエラストマー、その他からは木などからも、特に制限はなく適宜選択することができ、例えば、金属であればステンレスや鋼、鉄、またセラミックスであればアルミナや窒化珪素、ジルコニア、単結晶サファイア、また樹脂であればシリコーン樹脂、フッ素樹脂、可塑性樹脂、エンジニアプラスチック、木であればアスペンや白樺、杉、竹、ホオノキ、桜、樫、ヒノキ、ウォールナットなどが挙げられるが、これらの中でもステンレスや真鍮、ポリカーボネート、ＰＰ、ヒノキ、ウォールナットなどが好ましい。【００１２】なお、刃体部は金属およびセラミックスの材料から制限されることはなく適宜に選択され加工されてもよく、例えば、金属ではステンレスや鋼、鉄、また、セラミックスではファインセラミックス系のアルミナや窒化珪素、ジルコニアなどが挙げられるが、これらの中でもステンレスや、炭素工具鋼、モリブデンバナジウム鋼、ジルコニアなどが好ましい。【００１３】また、刃付けの加工形状は垂直型や斜傾型や内湾曲型や外湾曲型や円形や楕円形や略半円形などから、刃先形状は片刃や両刃などから、いずれも適宜自由に選択されてよい。
【発明を実施するための形態】
【００１４】以下、本発明を実施するための形態について適宜図面を参照しながら説明するが、本実施形態は以下の内容に限定されるものではなく、本発明の要旨を損なわない範囲で任意に変更して実施可能である。
【実施形態】
【実施例１】
【００１５】（図１〜図２参照）
第１実施形態の図１（ａ）〜（ｂ）に示された爪切除具５１Ａは、図２で示された遊離爪部２１を切除するものであって、略板状矩形体で成る略先端側から手前方向に向かって、上下一対で成る爪側と指側を分離させる挿入脚部１と刃先方向を示す案内脚部２とが離隔して二股状に凸設され、また、該二股を形成する該挿入脚部１と該案内脚部２とが対向して成したスリットには、爪の先端縁を差し込む爪入隙３を形成し、また、挿入脚部の手前側方向略端部には柄部４が具備され、また、該二股の股部には、該爪入隙３に差し込まれた爪を引切りで切除できる方向に一体で成形された、左右両面に切り刃を有する両刃または小刃が無い蛤刃または左右いずれか一方の側面が平滑で反対側の側面に切り刃を有する片刃である刃体部５を備えて成している。【００１６】爪切除具５１Ａの本体厚寸法は略２ｍｍ、爪入隙３の開口高は略２ｍｍ、挿入脚部１の長さは先端から柄部端部まで略７０ｍｍ、高さは略１ｍｍ、厚さは略２ｍｍ、案内脚部２の長さは先端から刃先方向略５ｍｍ、高さは略２ｍｍ、厚さは略２ｍｍ、刃体部５の長さは先端部から刃線まで略４ｍｍ、高さ略２ｍｍ、厚さ略０．０８ｍｍで形成されている。なお、各寸法は遊離爪部２１の爪厚など爪質により適宜変更されてもよく、爪切除具５１Ａの板厚寸法は材により適宜寸法でよい。【００１７】爪切除具５１Ａは板状のステンレスをプレス機で一体成形されたが、材料については、例えば、金属またはセラミックスまたは樹脂またはエラストマー、木から選択された材料の使用が可能である。【００１８】また、該爪切除具５１Ａは一体成形されているため、刃体部５の刃付け加工工程は別途設ける必要があり、該刃付け加工においては、図１の例で示されたように該刃付けの角度を挿入脚部１に対し略９０度（垂直）の刃線に成るよう研磨機で研ぎだしたが、爪質により刃線の斜傾角度は１０度〜９０度から適宜選択され、下向きまたは上向きのいずれかで刃付け加工をされてもよい。【００１９】爪切除の手段について、図２（ａ）〜（ｂ）に示されているとおり、爪切除具５１Ａに設けられた爪入隙３へ遊離爪部２１側縁を挿入し、遊離縁２２に沿って挿入脚部１１ａを挿通させながら引切りすることで、安全に該遊離爪部２１が切断できる爪切除具５１Ａの操作の様子が示されている。【００２０】爪切除具５１Ａの使用方法は、先ず同図に示されているとおり、前記爪入隙３へ爪側縁部近傍の遊離爪部端を挿着することで、該爪入隙３の下部に付設されている挿入脚部１は該遊離爪部端の爪内側に挿入される。また、該爪入隙３の上部に付設されている案内脚部２は爪甲表面側に配置されて刃先方向を示している。【００２１】なお施術中においては、爪縁端部２０の爪内側であって、且つ、爪郭２１上方表面側との隙を挿通されるのは挿入脚部１のみとされるので、当然に、爪入隙３に内設している刃体部５の刃先前方には、切断される遊離爪部２１のみである。
このように遊離爪部２１は安全に切除される。
【実施例２】
【００２２】（図３参照）
第２実施形態の爪切除具５１Ｂは、爪切除具５１Ａのもう一つの例であって、図３（ａ）〜（ｂ）に示されたように、別部材で傾斜状刃線を有する四辺形刃体に成形された着脱式刃体部材６を自由に着脱できるよう構成されている。例えば、切除具本体に形成されている股部に、着脱式刃体部材６が爪切除具５１Ｂの厚さ方向の略中央で嵌着できるよう凹加工された刃体保持凹部７内に、該着脱式刃体部材６の外周辺を嵌着できるよう設けられて成している。なお刃線の傾斜角は被切除爪の爪質に適宜に調整されて使用できる。【００２３】着脱式刃体部材６の装着方法は、同図（ｂ）で示すように、該着脱式刃体部材６の外周辺を本体厚み方向略中央に設けられた刃体保持凹部７内へ嵌入させて嵌着できるようにしたものである。なお、該着脱式刃体部材６を安定固着するために接着剤を用いてもよい。
【発明の効果】
【００２４】本発明の効果として、以下に示すような効果を奏する。
本発明の上記の構成によれば、刃体部６は該挿入脚部１の上側で且つ二股状の股部に内設して、刃線は該挿入脚部１の先端より手前方になるよう該刃体向きが設けられている。この様態からわかるとおり、遊離爪部２１裏側と爪郭との隙へ挿入脚部１を挿通させることで、爪側と指側を分離させているので、当然、刃先方と指肉との接触が起こらないため、安全に遊離爪部２１の切除が行える。
しかも、被切除爪２１の爪甲側には切除具が被さる部位が無いため、施術状況の全貌を把握して施術が行え、また引切りにより切除方向もぶれにくく安定した施術を提供できる。
【００２５】以上のように本発明によれば、従来のものに比べて、目の不自由な方や本態性振戦を患っている方であっても遊離爪部２１の切除を安全にしかも簡単に行うことができる。
【産業上の利用可能性】
【００２６】本発明は、医療用器具および介護用器具および美容器具の産業界において利用できる。
【図面の簡単な説明】
【００２７】
【図１】この発明の爪切除具５１Ａの一例を示す（ａ）斜視図、（ｂ）正面図である。
【図２】この発明爪切除具５１Ａを用いて遊離爪部２１を切除する態様を示す（ａ）は遊離爪部２１側縁に装着した平面図、（ｂ）は正面図である。
【図３】別部材で加工された着脱刃体部材６を股部近傍に収納可能とした爪切除具５１Ｂに関する、（ａ）着脱刃体部材７が該爪切除具５１Ｂから離脱している態様を表す側面図、（ｂ）着脱刃体部材７が該爪切除具５１Ｂへ嵌設された態様を表す側面図、である。
【符号の説明】
【００２８】５１Ａ、５１Ｂ…爪切除具
１挿入脚部、２案内脚部、３爪入隙、４柄部、５刃体部、６着脱式刃体部材、７刃体保持凹部、２１遊離爪部、２２遊離縁
【図１】
2018187316.tif 000003
【図２】
2018187316.tif 000004
【図３】
2018187316.tif 000005